(57)【要約】【課題】組立容易で低背化可能な光モジュールを提供する。【解決手段】光素子が実装された基板２００に搭載される第１の光学ブロック３０と光ファイバを保持する第２の光学ブロック５０を備える。基板２００の板面と平行な直交２方向をＸ方向、Ｚ方向とし、垂直方向をＹ方向とする時、光学ブロック３０は反射面３７を有する基部３１とＺ方向に延長された一対の延長部３２と係止部（３９，４２）と第１突き当て面（３３ａ）を備え、光学ブロック５０は保持部５１と一対の腕部５２と±Ｚ方向に延長されたばね片５３とばね片５３に形成され、Ｙ方向に押し込まれて係止部（３９，４２）に引っ掛かる被係止部（６２）と第２突き当て面（５２ａ）を備える。光学ブロック３０と光学ブロック５０はばね片５３のばね力により第２突き当て面が第１突き当て面に突き当てられてＹ方向の位置決めがなされ、基部３１と保持部５１間の光の入出射方向はＺ方向とされる。【選択図】図１
2018084630.tif 000002
【特許請求の範囲】
【請求項１】
光素子が実装された基板に搭載される第１の光学ブロックと、光ファイバを保持し、前記第１の光学ブロックと組み合わされる第２の光学ブロックとを備える光モジュールであって、
前記基板の板面と平行な直交２方向をＸ方向、Ｚ方向とし、前記板面と垂直方向をＹ方向とする時、
前記第１の光学ブロックは、前記光素子が位置する空間を下面に有し、前記板面と４５°をなす反射面を上面に有する基部と、前記基部からＺ方向に延長形成された一対の延長部と、前記基部のＺ方向に沿う両側面及び前記一対の延長部の互いの外側面にそれぞれ形成された係止部とを備え、４つの前記係止部で囲まれた領域内にはＹ方向と直交して上方を向く第１突き当て面が設けられており、
前記第２の光学ブロックは、前記光ファイバを保持する保持部と、前記保持部の両側面から互いに外向きに突出形成された一対の腕部と、前記一対の腕部の各先端から＋Ｚ方向及び−Ｚ方向にそれぞれ延長形成されたばね片と、４つの前記ばね片の自由端にそれぞれ形成され、Ｙ方向に押し込まれて前記係止部にそれぞれ引っ掛かる被係止部とを備え、前記第１突き当て面と対向する位置にはＹ方向と直交して下方を向く第２突き当て面が設けられており、
前記第１の光学ブロックと前記第２の光学ブロックは、
前記保持部が前記一対の延長部間に位置し、前記一対の腕部が前記一対の延長部の上面に形成されている一対の凹部に収容されるように組み合わされ、
前記ばね片のばね力により前記第２突き当て面が前記第１突き当て面に突き当てられることによりＹ方向の位置決めがなされ、
前記基部と前記保持部間の光の入出射方向はＺ方向とされていることを特徴とする光モジュール。
【請求項２】
請求項１記載の光モジュールにおいて、
前記係止部は突部とされ、前記被係止部は爪とされていることを特徴とする光モジュール。
【請求項３】
請求項１又は２記載の光モジュールにおいて、
前記一対の腕部は前記保持部における光の入出射面寄りに設けられていることを特徴とする光モジュール。
【請求項４】
請求項１乃至３記載のいずれかの光モジュールにおいて、
前記第１突き当て面は前記一対の凹部の底面とされ、前記第２突き当て面は前記一対の腕部の下面とされていることを特徴とする光モジュール。
【発明の詳細な説明】
【技術分野】
【０００１】
この発明は発光素子や受光素子等の光素子と光ファイバとを光学的に接続するために用いる光モジュールに関する。
【背景技術】
【０００２】
図１２はこの種の光モジュールの従来例として特許文献１に記載されている構成を示したものであり、この例では光モジュールは第１の光学ブロック１１と第２の光学ブロック１２とよりなる。第１の光学ブロック１１は光素子１３が実装された基板１４に搭載固定され、光ファイバ１５を保持した第２の光学ブロック１２は第１の光学ブロック１１上に搭載されている。
【０００３】
光素子１３は第１の光学ブロック１１の底面に形成されている空間１１ａに位置し、第１の光学ブロック１１には光素子１３上に位置するようにレンズ１１ｂが形成されている。
【０００４】
第２の光学ブロック１２は第１の光学ブロック１１に上方から嵌合されて搭載され、この際、第２の光学ブロック１２に一体形成されている４つのばね片１２ａの先端に形成されている爪部１２ｂが第１の光学ブロック１１に形成されている段部１１ｃの上端に引っ掛かることで第１の光学ブロック１１と第２の光学ブロック１２とが互いに固定されている。
【０００５】
第２の光学ブロック１２の底面には凸部１２ｃが形成されており、凸部１２ｃは第１の光学ブロック１１の上面に形成されている凹部１１ｄに嵌合されている。凸部１２ｃには第１の光学ブロック１１のレンズ１１ｂと光軸が一致されてレンズ１２ｄが形成され、レンズ１２ｄ上に位置するように第２の光学ブロック１２の上面には反射面１２ｅが形成されている。
【０００６】
光素子１３は発光素子や受光素子とされる。光素子１３が例えば発光素子の場合、光素子１３から出射された光はレンズ１１ｂで平行光とされた後、レンズ１２ｄで集光され、反射面１２ｅで進行方向が９０°変換されて、第２の光学ブロック１２に基板１４と平行に保持されている光ファイバ１５に入射される。
【０００７】
このように第１の光学ブロック１１と第２の光学ブロック１２とよりなる図１２に示した光モジュールは、光素子１３と光ファイバ１５とを光学的に接続するものとなっており、この例では第１の光学ブロック１１と第２の光学ブロック１２の光学的接続方向も機械的接続方向（組立方向）も基板１４の板面と垂直となっている。
【０００８】
一方、図１３は特許文献２に記載されている光モジュールの構成を示したものであり、光モジュールはこの例では光素子２１が搭載された回路基板２２と、回路基板２２を収容し、光ケーブル２３の端部が固定されたハウジング２４と、光ケーブル２３からハウジング２４内に導入された光ファイバ２５が余長を有して保持された光ファイバ保持部材２６と、回路基板２２に固定され、回路基板２２上の光素子２１と光ファイバ２５とを光学的に接続する光結合部材２７とを備えている。光結合部材２７と光ファイバ保持部材２６はガイドピン２７ａとガイド穴２６ａとの嵌合により連結されている。
【０００９】
光結合部材２７は光素子２１を覆うように回路基板２２に取り付けられており、光結合部材２７における光ファイバ保持部材２６との対向面にはレンズ面２７ｂが形成され、光素子２１との対向面にもレンズ面（不図示）が形成されている。また、光結合部材２７の上面には反射面２７ｃが形成されている。
【００１０】
光素子２１を構成する例えば発光素子から発光した光は、レンズ面を通って光結合部材２７に入射し、反射面２７ｃによって反射された後、レンズ面２７ｂによって光ファイバ保持部材２６に固定された光ファイバ２５の端面に光結合される。
【００１１】
このように図１３に示した光モジュールは光素子２１と光ファイバ２５とを光学的に接続するものとなっており、この例では光ファイバ保持部材２６と光結合部材２７の光学的接続方向も機械的接続方向も回路基板２２の板面と平行となっている。
【先行技術文献】
【特許文献】
【００１２】
【特許文献１】特開２０１５−２１９２７３号公報
【特許文献２】特開２０１３−１４０２１１号公報
【発明の概要】
【発明が解決しようとする課題】
【００１３】
上述したように、図１２に示した光モジュールは第１の光学ブロック１１と第２の光学ブロック１２の機械的接続方向が基板１４の板面と垂直であり、基板１４に搭載された第１の光学ブロック１１に対し、上から第２の光学ブロック１２を嵌合させればよいため、容易に組み立てることができるものとなっている。しかしながら、爪部１２ｂを段部１１ｃの上端に引っ掛ける第１の光学ブロック１１と第２の光学ブロック１２の組立て構造では、組立方向に遊びがあるため、組立方向において高い位置決め精度は得られず、組立方向の位置ずれを許容すべく、光学的接続方向も基板１４の板面と垂直としている。よって、第２の光学ブロック１２の上面に反射面１２ｅを設ける必要があり、これにより光素子１３の直上で第１の光学ブロック１１と第２の光学ブロック１２の反射面１２ｅが形成されている部分が基板１４の板面と垂直方向に重なることになるため、光モジュールを低背化しにくいといった欠点がある。
【００１４】
これに対し、図１３に示した光モジュールは光ファイバ保持部材２６と光結合部材２７の光学的接続方向も機械的接続方向も回路基板２２の板面と平行なため、光素子２１を覆う光結合部材２７の上面に反射面２７ｃを形成している。よって、光素子２１の直上において光ファイバ保持部材２６は光結合部材２７に重ならないので、低背に構成することができるものの、組立てが難しいといった問題がある。即ち、組立て時に光ファイバ保持部材２６を光ファイバ２５の延伸方向に（回路基板２２の板面と平行方向に）スライドさせる必要があるため、例えば光ケーブル２３の端部で光ファイバ２５が固定されている場合、光ファイバ２５を撓ませる必要があり、撓みによって光ファイバ２５が損傷するといった不具合も発生する虞があるため、組立てを容易に行うことはできない。
【００１５】
この発明の目的はこのような問題に鑑み、光モジュールの低背化を可能とし、かつ組立ても容易に行えるようにした光モジュールを提供することにある。
【課題を解決するための手段】
【００１６】
請求項１の発明によれば、光素子が実装された基板に搭載される第１の光学ブロックと、光ファイバを保持し、第１の光学ブロックと組み合わされる第２の光学ブロックとを備える光モジュールにおいて、基板の板面と平行な直交２方向をＸ方向、Ｚ方向とし、前記板面と垂直方向をＹ方向とする時、第１の光学ブロックは光素子が位置する空間を下面に有し、前記板面と４５°をなす反射面を上面に有する基部と、基部からＺ方向に延長形成された一対の延長部と、基部のＺ方向に沿う両側面及び一対の延長部の互いの外側面にそれぞれ形成された係止部とを備え、４つの係止部で囲まれた領域内にはＹ方向と直交して上方を向く第１突き当て面が設けられ、第２の光学ブロックは光ファイバを保持する保持部と、保持部の両側面から互いに外向きに突出形成された一対の腕部と、一対の腕部の各先端から＋Ｚ方向及び−Ｚ方向にそれぞれ延長形成されたばね片と、４つのばね片の自由端にそれぞれ形成され、Ｙ方向に押し込まれて係止部にそれぞれ引っ掛かる被係止部とを備え、第１突き当て面と対向する位置にはＹ方向と直交して下方を向く第２突き当て面が設けられ、第１の光学ブロックと第２の光学ブロックは、保持部が一対の延長部間に位置し、一対の腕部が一対の延長部の上面に形成されている一対の凹部に収容されるように組み合わされ、ばね片のばね力により第２突き当て面が第１突き当て面に突き当てられることによりＹ方向の位置決めがなされ、基部と保持部間の光の入出射方向はＺ方向とされる。
【００１７】
請求項２の発明では請求項１の発明において、係止部は突部とされ、被係止部は爪とされる。
【００１８】
請求項３の発明では請求項１又は２の発明において、一対の腕部は保持部における光の入出射面寄りに設けられているものとされる。
【００１９】
請求項４の発明では請求項１乃至３のいずれかの発明において、第１突き当て面は一対の凹部の底面とされ、第２突き当て面は一対の腕部の下面とされる。
【発明の効果】
【００２０】
この発明によれば、光モジュールを構成する第１の光学ブロックと第２の光学ブロックの機械的接続方向は基板の板面と垂直であって、第２の光学ブロックの４つのばね片の自由端には上から押し込まれて第１の光学ブロックの係止部に引っ掛かる被係止部が形成され、ばね片のばね力により第２の光学ブロックの第２突き当て面が第１の光学ブロックの第１突き当て面に突き当てられるものとなっている。よって、基板に搭載された第１の光学ブロックに対し、上から第２の光学ブロックを嵌め込めばよいため、容易に組み立てることができ、かつ機械的接続方向（組立方向）においても高い位置決め精度を得ることができる。
【００２１】
一方、第１の光学ブロックには反射面が形成され、第１の光学ブロックと第２の光学ブロックの光学的接続方向は基板の板面と平行であって、光素子の直上で第１の光学ブロックと第２の光学ブロックが重ならないため、光モジュールを低背に構成することができる。
【図面の簡単な説明】
【００２２】
【図１】この発明による光モジュールの実施例１が基板に搭載された状態を示す斜視図。
【図２】Ａは図１に示した状態の光モジュールの平面図、ＢはＡのＥ−Ｅ線断面図、ＣはＡのＦ−Ｆ線断面図、ＤはＡのＧ−Ｇ線断面図。
【図３】Ａは図１における第１の光学ブロックの平面図、Ｂはその正面図、Ｃはその底面図、Ｄはその斜視図、ＥはＣのＦ−Ｆ線断面図。
【図４】Ａは図１における第２の光学ブロックの平面図、Ｂはその左側面図、Ｃはその右側面図、Ｄはその斜視図、ＥはＢのＧ−Ｇ線断面図、ＦはＢのＨ−Ｈ線断面図。
【図５】図１に示した光モジュールの組立てを説明するための図。
【図６】Ａはこの発明による光モジュールの実施例２の第２の光学ブロックを示す斜視図、Ｂはこの発明による光モジュールの実施例２の第１の光学ブロックを示す斜視図。
【図７】Ａはこの発明による光モジュールの実施例３の第２の光学ブロックを示す斜視図、Ｂはこの発明による光モジュールの実施例３の第１の光学ブロックを示す斜視図。
【図８】Ａはこの発明による光モジュールの実施例４の第２の光学ブロックを示す斜視図、Ｂはこの発明による光モジュールの実施例４の第１の光学ブロックを示す斜視図。
【図９】Ａはこの発明による光モジュールの実施例５の第２の光学ブロックを示す斜視図、Ｂはこの発明による光モジュールの実施例５の第１の光学ブロックを示す斜視図。
【図１０】Ａはこの発明による光モジュールの実施例６の第２の光学ブロックを示す斜視図、Ｂはこの発明による光モジュールの実施例６の第１の光学ブロックを示す斜視図。
【図１１】Ａはこの発明による光モジュールの実施例７の第２の光学ブロックを示す斜視図、Ｂはこの発明による光モジュールの実施例７の第１の光学ブロックを示す斜視図。
【図１２】Ａは光モジュールの従来例を示す斜視図、Ｂはその断面図。
【図１３】Ａは光モジュールの他の従来例を示す断面図、ＢはＡに示したＣ−Ｃ線における光モジュールの断面図。
【発明を実施するための形態】
【００２３】
この発明の実施形態を図面を参照して実施例により説明する。
【実施例１】
【００２４】
図１及び図２はこの発明による光モジュールの実施例１が基板に搭載された状態を示したものであり、光モジュール１００は第１の光学ブロック３０と第２の光学ブロック５０とよりなる。図３及び図４はこれら第１の光学ブロック３０と第２の光学ブロック５０の詳細構造を示したものであり、まず第１の光学ブロック３０及び第２の光学ブロック５０の構造について説明する。なお、以下においては図１及び図２に示した基板２００の板面と平行な直交２方向をＸ方向、Ｚ方向とし、基板２００の板面と垂直方向をＹ方向として説明する。
【００２５】
第１の光学ブロック３０は図３に示したように略直方体状をなす基部３１と一対の延長部３２とを備える。基部３１と延長部３２のＹ方向の厚さは等しくされている。一対の延長部３２は基部３１のＸ方向に沿う側面３１ａにおけるＸ方向の両端部からＺ方向に延長されて形成されている。これら一対の延長部３２の基部３１寄りの上面には凹部３３がそれぞれ形成されている。凹部３３の底面３３ａはＹ方向と直交する面とされている。
【００２６】
基部３１の下面３１ｂには素子収容用の空間３４が形成されており、この空間３４の天面には集光用のレンズ３５が形成されている。レンズ３５はこの例では４つ、Ｘ方向に配列されて形成されている。基部３１の上面３１ｃには凹部３６が形成されており、この凹部３６の内面におけるレンズ３５の上方に位置する部分には反射面３７が形成されている。
【００２７】
基部３１のＺ方向に沿う両側面３１ｄ，３１ｅにおける延長部３２が位置する側と反対側の端部にはＸ方向に１段下がった段部３８がそれぞれ形成されており、これら段部３８にＺ方向に伸長する突部３９がそれぞれ形成されている。突部３９のＹ方向上方に向く面は傾斜面３９ａとされており、傾斜面３９ａと反対側の下面３９ｂはＹ方向と直交する面とされている。
【００２８】
基部３１の側面３１ｄ，３１ｅの延長上にそれぞれ位置する一対の延長部３２の互いの外側面３２ａのＺ方向先端部にも基部３１の段部３８と同様に段部４１が形成され、これら段部４１にも突部４２が突部３９と同様に形成されている。突部４２のＹ方向上方に向く面は傾斜面４２ａとされており、傾斜面４２ａと反対側の下面４２ｂはＹ方向と直交する面とされている。
【００２９】
上記のような構造を有する第１の光学ブロック３０は光を透過する樹脂製とされ、樹脂成形により形成される。
【００３０】
第２の光学ブロック５０は図４に示したように略直方体状をなす保持部５１と一対の腕部５２と４つのばね片５３とを備える。一対の腕部５２は保持部５１のＺ方向に沿う両側面５１ａ，５１ｂから互いに外向きに突出されて形成されており、ばね片５３は一対の腕部５２の各先端から＋Ｚ方向及び−Ｚ方向にそれぞれ延長されて形成されている。腕部５２及びばね片５３の上面は保持部５１の上面５１ｃと同一面上に位置しており、保持部５１とばね片５３のＹ方向の厚さは等しくされている。これら保持部５１及びばね片５３のＹ方向の厚さに対し、腕部５２のＹ方向の厚さは薄く（小さく）されている。
【００３１】
保持部５１の上面５１ｃにはＺ方向の一端から他端の近くまで凹部５４が形成され、凹部５４の内端側には一段高くされた段部５５が形成されている。段部５５にはＶ溝５６がＺ方向に伸長して形成されている。Ｖ溝５６はこの例では４本形成されており、これらＶ溝５６の各延長上に位置して保持部５１のＸ方向に沿う側面５１ｄにはレンズ５７が４つ形成されている。
【００３２】
一対の腕部５２は保持部５１のレンズ５７が形成されている側面５１ｄ寄りに（光の入出射面寄りに）設けられている。腕部５２より側面５１ｄ側に位置する保持部５１の両側面５１ａ，５１ｂにはリブ状をなす突起５８がＹ方向に伸長してそれぞれ形成されている。一対の腕部５２の、保持部５１の側面５１ｄより遠い側のＸ方向に沿う側面にもリブ状をなす突起５９がＹ方向に伸長してそれぞれ形成されている。なお、腕部５２の下面５２ａはＹ方向と直交する面とされ、Ｚ方向両端には図４Ｆに示したように突起５９も含めて大きな面取り６１が設けられている。
【００３３】
ばね片５３はＹ方向の厚さに対し、Ｘ方向の幅が小さくされており、即ち長辺がＹ方向とされた矩形断面形状を有する。各ばね片５３の自由端の内側面におけるＹ方向下端側には爪６２がＺ方向に伸長してそれぞれ突出形成されている。爪６２のＹ方向下方に向く面は傾斜面６２ａとされており、傾斜面６２ａと反対側の上面６２ｂはＹ方向と直交する面とされている。
【００３４】
第２の光学ブロック５０は第１の光学ブロック３０と同様、光を透過する樹脂製とされ、樹脂成形により形成される。
【００３５】
第２の光学ブロック５０の４本のＶ溝５６には図５に示したように光ファイバ３００が搭載されて位置決め固定される。光ファイバ３００を保持した第２の光学ブロック５０は基板２００上に搭載されて接着固定された第１の光学ブロック３０に、図５に示したようにＹ方向上方から嵌め込まれて第１の光学ブロック３０と組み合わされ、これにより図１及び図２に示したように基板２００上に光モジュール１００が搭載された状態となる。
【００３６】
基板２００には図２Ｃに示したように光素子４００が実装されており、第１の光学ブロック３０はレンズ３５が光素子４００の上方に位置するように、即ち光素子４００の光軸とレンズ３５の光軸が一致されて基板２００上に搭載固定される。光素子４００は第１の光学ブロック３０に形成されている空間３４に収容位置される。
【００３７】
第２の光学ブロック５０は４つのばね片５３の自由端がＹ方向に押し込まれて爪６２が図１及び図２Ｄに示したように第１の光学ブロック３０に形成されている突部３９，４２に引っ掛けられ、これにより第１の光学ブロック３０に固定される。この際、図２Ａに示したように保持部５１の突起５８が形成されている部分は一対の延長部３２間に圧入され、一対の腕部５２の、突部５９が形成されている部分は凹部３３にそれぞれ圧入される。
【００３８】
第１の光学ブロック３０の基部３１と第２の光学ブロック５０の保持部５１は、このように保持部５１が一対の延長部３２間に圧入されて位置してＸ方向の位置決めがなされ、一対の腕部５２が凹部３３に圧入、収容されてＺ方向の位置決めがなされる。さらに、４つのばね片５３のばね力により、一対の腕部５２の下面５２ａが図２Ｂ，Ｄに示したように凹部３３の底面３３ａに突き当てられることによりＹ方向の位置決めがなされる。なお、腕部５２の下面５２ａを凹部３３の底面３３ａに突き当てる（押し付ける）ための所要のばね力（押し付け力）を得るべく、図４Ｆに示した腕部５２の下面５２ａから爪６２の上面６２ｂまでのＹ方向の寸法ｄ１は、図３Ｂに示した凹部３３の底面３３ａから突部３９，４２の各下面３９ｂ，４２ｂまでのＹ方向の寸法ｄ２より所定量小さくされる。
【００３９】
第１の光学ブロック３０と第２の光学ブロック５０は上述したように位置決めされ、第１の光学ブロック３０の基部３１と第２の光学ブロック５０の保持部５１は高い精度をもって組み立てられる。これにより、基板２００に実装された光素子４００と第２の光学ブロック５０に保持された光ファイバ３００とは高い光結合効率で（低損失で）光接続される。光素子４００はＶＣＳＥＬ（Ｖｅｒｔｉｃａｌ  Ｃａｖｉｔｙ  Ｓｕｒｆａｃｅ  Ｅｍｉｔｔｉｎｇ  Ｌａｓｅｒ）等の発光素子やＰＤ（Ｐｈｏｔｏ  Ｄｉｏｄｅ）等の受光素子とされ、この例では最大４つの光素子４００と光ファイバ３００とが光接続される。
【００４０】
図２Ｃには光素子４００をＶＣＳＥＬとした場合の光の進行を示しており、光素子４００から出射された出射光ａはレンズ３５により平行光ｂとなり、平行光ｂは基板２００の板面と４５°をなす反射面３７で進行方向が９０°変換されて基部３１の側面３１ａから出射する。側面３１ａから出射された平行光は空間を通って保持部５１のレンズ５７に達し、レンズ５７で集光されて光ファイバ３００の端面に入射される。このようにこの例ではレンズ３５，５７と反射面３７を介して光素子４００と光ファイバ３００とが光学的に接続されるものとなっており、第１の光学ブロック３０の基部３１と第２の光学ブロック５０の保持部５１間の光の入出射方向は基板２００の板面と平行なＺ方向となっている。
【００４１】
以上、この発明の実施例１について説明したが、上述した光モジュール１００によれば、第１の光学ブロック３０と第２の光学ブロック５０の機械的接続方向は基板２００の板面と垂直であり、よって容易に組み立てることができる。
【００４２】
一方、第１の光学ブロック３０と第２の光学ブロック５０の光学的接続方向は基板２００の板面と平行であって、第１の光学ブロック３０と第２の光学ブロック５０を組み合わせた状態では第２の光学ブロック５０は第１の光学ブロック３０の高さ内に収まる構成となっている。よって、光モジュール１００を低背に構成することができる。
【００４３】
なお、上述した実施例では、第１の光学ブロック３０の側面に係止部として突部３９，４２を形成し、第２の光学ブロック５０のばね片５３に係止部に引っ掛かる被係止部として爪６２を形成しているが、これら係止部及び被係止部の構成はこれに限るものではない。例えば係止部と被係止部を、突部と突部に引っ掛かる孔で構成してもよく、係止部と、係止部に引っ掛かる被係止部は様々な構成を採用することができる。
【００４４】
第１の光学ブロック３０の基部３１と第２の光学ブロック５０の保持部５１間の入出射光は、上述した実施例では基板２００の板面と平行な平行光であって、平行光の空間伝播による光結合となっているため、基部３１と保持部５１のＺ方向の位置決め精度は必ずしも高精度を必要としない。よって、第２の光学ブロック５０の腕部５２は必ずしも第１の光学ブロック３０の凹部３３に圧入しなくてもよい。
【００４５】
これに対し、光軸を一致させて高い光結合効率を得るべく、基部３１と保持部５１のＸ方向及びＹ方向の位置決め精度は高精度が必要であり、特に第１の光学ブロック３０と第２の光学ブロック５０の機械的接続方向（組立方向）であるＹ方向は一般に遊びがあって、誤差が生じやすく、高い位置決め精度を得にくいが、この実施例ではばね片５３のばね力により、Ｙ方向の基準面をなす第１の光学ブロック３０の凹部３３の底面３３ａに、第２の光学ブロック５０のＹ方向の基準面をなす腕部５２の下面５２ａを突き当てているため、Ｙ方向においても高い位置決め精度を得ることができる。
【００４６】
なお、第１の光学ブロック３０と第２の光学ブロック５０の機械的接続方向（組立方向）ではないＸ方向はもともと誤差が生じにくいので、高い位置決め精度が得やすい。よって、第２の光学ブロック５０の保持部５１は必ずしも第１の光学ブロック３０の一対の延長部３２間に圧入しなくてもよい。
【００４７】
上述した実施例１では、ばね片５３のばね力により突き当てられるＹ方向の突き当て面として、第１の光学ブロック３０の突き当て面（第１突き当て面）を一対の凹部３３の底面３３ａとし、第２の光学ブロック５０の突き当て面（第２突き当て面）を一対の腕部５２の下面５２ａとし、一対の凹部３３の底面３３ａと一対の腕部５２の下面５２ａが突き当てられることにより、第１の光学ブロック３０と第２の光学ブロック５０がＹ方向において位置決めされるようにしているが、第１及び第２の突き当て面は他の部位とすることもできる。
【００４８】
また、第２の光学ブロック５０の保持部５１が第１の光学ブロック３０の一対の延長部３２間に位置して、第１の光学ブロック３０と第２の光学ブロック５０のＸ方向の位置決めがなされ、第２の光学ブロック５０の一対の腕部５２が第１の光学ブロック３０の一対の凹部３３に位置して、第１の光学ブロック３０と第２の光学ブロック５０のＺ方向の位置決めがなされるようにしているが、Ｘ方向及びＺ方向の位置決めも他の部位によって行うようにしてもよい。
【００４９】
以下、図６〜１１に示した実施例２〜７により位置決めを他の部位によって行うようにした形態を説明する。なお、実施例１と対応する部分には同一符号を付し、詳細な説明を省略する。
【実施例２】
【００５０】
実施例２は実施例１に対し、Ｘ方向の位置決め構造を変えたものであり、図６に示したように第１の光学ブロック７１に設けた凸部４３が第２の光学ブロック８１に設けた凹部６３に嵌まることによって、第１の光学ブロック７１と第２の光学ブロック８１のＸ方向の位置決めがなされるものとしている。
【００５１】
凸部４３はこの例では基部３１の側面３１ａから突出形成され、凹部６３は保持部５１の側面５１ｄと下面５１ｅとを切り欠く形で形成されている。凸部４３の上面のＺ方向に平行な２辺は凹部６３への挿入を容易にすべく、面取りされている。なお、この例では実施例１と異なり、保持部５１の両側面５１ａ，５１ｂには突起５８はないものとされる。
【実施例３】
【００５２】
実施例３は実施例１に対し、Ｙ方向の位置決め構造を変えたものであり、即ち第１突き当て面と第２突き当て面を変えたものである。
【００５３】
この例では図７に示したように、第１の光学ブロック７２は基部３１から一対の延長部３２間に延長形成された平板部４４を有するものとされ、この平板部４４のＹ方向と直交して上方を向く面が第１突き当て面４４ａとされ、第２の光学ブロック８２の保持部５１にＹ方向と直交して下方を向く第２突き当て面６４が形成される。第２突き当て面６４は保持部５１の側面５１ｄ側における下面５１ｅをＸ方向全幅に渡って切り欠く形で形成されている。なお、第１の光学ブロック７２において一対の延長部３２に形成されている凹部３３はこの例では深くされ、凹部３３の底面３３ａは第１突き当て面４４ａと同一面上に位置される。
【００５４】
第１突き当て面と、第１突き当て面と対向する第２突き当て面はこのような形態としてもよく、第１の光学ブロックにおいて第１突き当て面は突部３９，４２によって構成されている４つの係止部で囲まれた領域内に設けられていればよい。
【実施例４】
【００５５】
実施例４は実施例３に対し、Ｘ方向及びＺ方向の位置決め構造を変えたものであり、図８に示したように第１の光学ブロック７３に設けた凸部４５が第２の光学ブロック８３に設けた凹部６５に嵌まることによって、第１の光学ブロック７３と第２の光学ブロック８３のＸ方向及びＺ方向の位置決めがなされるものとしている。
【００５６】
凸部４５は直方体状とされて第１突き当て面４４ａ上に突出形成され、凹部６５は第２突き当て面６４に形成されている。凸部４５の上面のＸ方向に平行な２辺及びＺ方向に平行な２辺は凹部６５への挿入を容易にすべく、それぞれ面取りされている。この例では実施例１，３と異なり、保持部５１の両側面５１ａ，５１ｂには突起５８はないものとされ、また一対の腕部５２の側面にも突起５９はないものとされる。なお、図８に示した構成とは逆に、第１突き当て面４４ａに凹部を形成し、第２突き当て面６４に凹部に嵌まる凸部を形成するようにしてもよい。
【実施例５】
【００５７】
実施例５は実施例１に対し、Ｚ方向の位置決め構造を変えたものであり、図９に示したように第１の光学ブロック７４に設けた一対の凸部４６（１つは隠れて見えない）が第２の光学ブロック８４に設けた一対の凹部６６に嵌まることによって、第１の光学ブロック７４と第２の光学ブロック８４のＺ方向の位置決めがなされるものとしている。
【００５８】
一対の凸部４６はこの例では一対の延長部３２の互いの内側面に、互いに内向きに突出して形成され、一対の凹部６６は保持部５１の側面５１ａと下面５１ｅ及び側面５１ｂと下面５１ｅをそれぞれ切り欠く形で形成されている。凸部４６の上面のＸ方向に平行な２辺は凹部６６への挿入を容易にすべく、面取りされている。なお、この例では実施例１と異なり、一対の腕部５２の側面には突起５９はないものとされる。
【実施例６】
【００５９】
実施例６は実施例１に対し、Ｙ方向の位置決め構造を変えたものである。
【００６０】
この例では図１０に示したように第１の光学ブロック７５は一対の延長部３２の互いの内側面に、互いに内向きに突出して形成された一対の凸部４７（１つは隠れて見えない）を有するものとされ、この一対の凸部４７のＹ方向と直交して上方を向く面が第１突き当て面４７ａとされる。第２の光学ブロック８５の保持部５１には側面５１ａと下面５１ｅ及び側面５１ｂと下面５１ｅをそれぞれ切り欠く形で一対の凹部６７が形成されており、この一対の凹部６７のＹ方向と直交して下方を向く底面が第２突き当て面６７ａとされる。
【実施例７】
【００６１】
実施例７は実施例１に対し、Ｙ方向の位置決め構造を変えたものである。
【００６２】
この例では図１１に示したように第１の光学ブロック７６は一対の延長部３２間に、一対の延長部３２を全長に渡って連結する平板部４８を有するものとされ、この平板部４８のＹ方向と直交して上方を向く面が第１突き当て面４８ａとされ、第２の光学ブロック８６の保持部５１の下面全体が第２突き当て面５１ｅ’とされる。保持部５１は実施例１の保持部５１に対し、下面が削り取られた形で薄くされてＹ方向と直交して下方を向く第２突き当て面５１ｅ’が形成されている。なお、第１の光学ブロック７６において一対の延長部３２に形成されている凹部３３はこの例では実施例３，４と同様、深くされ、凹部３３の底面３３ａは第１突き当て面４８ａと同一面上に位置される。
【００６３】
以上、Ｘ，Ｙ，Ｚ各方向の位置決めの各種形態について説明したが、上述した実施例に限らず、Ｘ，Ｙ，Ｚ各方向の位置決めは様々な形態を採用することができる。
【符号の説明】
【００６４】
１１    第１の光学ブロック                  １１ａ    空間
１１ｂ    レンズ                            １１ｃ    段部
１１ｄ    凹部                              １２    第２の光学ブロック
１２ａ    ばね片                            １２ｂ    爪部
１２ｃ    凸部                              １２ｄ    レンズ
１２ｅ    反射面                            １３    光素子
１４    基板                                １５    光ファイバ
２１    光素子                              ２２    回路基板
２３    光ケーブル                          ２４    ハウジング
２５    光ファイバ                          ２６    光ファイバ保持部材
２６ａ    ガイド穴                          ２７    光結合部材
２７ａ    ガイドピン                        ２７ｂ    レンズ面
２７ｃ    反射面                            ３０    第１の光学ブロック
３１    基部                                ３１ａ    側面
３１ｂ    下面                              ３１ｃ    上面
３１ｄ，３１ｅ    側面                      ３２    延長部
３２ａ    外側面                            ３３    凹部
３３ａ    底面                              ３４    空間
３５    レンズ                              ３６    凹部
３７    反射面                              ３８    段部
３９    突部                                ３９ａ    傾斜面
３９ｂ    下面                              ４１    段部
４２    突部                                ４２ａ    傾斜面
４２ｂ    下面                              ４３    凸部
４４    平板部                              ４４ａ    第１突き当て面
４５，４６，４７    凸部                    ４７ａ    第１突き当て面
４８    平板部                              ４８ａ    第１突き当て面
５０    第２の光学ブロック                  ５１    保持部
５１ａ，５１ｂ    側面                      ５１ｃ    上面
５１ｄ    側面                              ５１ｅ    下面
５１ｅ’    第２突き当て面                  ５２    腕部
５２ａ    下面                              ５３    ばね片
５４    凹部                                ５５    段部
５６    Ｖ溝                                ５７    レンズ
５８，５９    突起                          ６１    面取り
６２    爪                                  ６２ａ    傾斜面
６２ｂ    上面                              ６３    凹部
６４    第２突き当て面                      ６５，６６，６７    凹部
６７ａ    第２突き当て面                    ７１〜７６    第１の光学ブロック
８１〜８６    第２の光学ブロック            １００    光モジュール
２００    基板                              ３００    光ファイバ
４００    光素子
【図１】
2018084630.tif 000003
【図２】
2018084630.tif 000004
【図３】
2018084630.tif 000005
【図４】
2018084630.tif 000006
【図５】
2018084630.tif 000007
【図６】
2018084630.tif 000008
【図７】
2018084630.tif 000009
【図８】
2018084630.tif 000010
【図９】
2018084630.tif 000011
【図１０】
2018084630.tif 000012
【図１１】
2018084630.tif 000013
【図１２】
2018084630.tif 000014
【図１３】
2018084630.tif 000015